(57)【要約】【課題】アンビルとメタル軸受との間での十分な潤滑を確保する。【解決手段】アンビル９の後面に形成した軸受孔２３にスピンドル７の小径部２４を同軸で嵌合させる一方、アンビル９の外周に、メタル軸受２２の内周面に対向するリング状の外溝３１を形成すると共に、アンビル９内に、軸受孔２３と外溝３１とを接続して両者を連通させる接続孔３０を半径方向に形成したインパクトドライバ１において、軸受孔２３の底となる前端に、スピンドル７の小径部２４よりも前方へ突出するリング状の深底部２８を連設し、その深底部２８に接続孔３０を接続した。【選択図】図１
2010201543.tif 000002
【特許請求の範囲】
【請求項１】
ハウジング内でモータによって回転するスピンドルと、そのスピンドルの前方で前記ハウジングにメタル軸受を介して同軸で軸支され、ビットの挿着孔を有する前端を前記ハウジングの前方へ突出させたアンビルと、前記スピンドルの回転を回転打撃力として前記アンビルに伝達する打撃機構とを備え、前記アンビルの後面に形成した軸受孔に前記スピンドルの前端を同軸で嵌合させる一方、前記アンビルの外周に、前記メタル軸受の内周面に対向するリング状の外溝を形成すると共に、前記アンビル内に、前記軸受孔と外溝とを接続して両者を連通させる接続孔を半径方向に形成した打撃工具であって、
前記軸受孔の底となる前端に、嵌合された前記スピンドルの前端よりも前方へ突出するリング状の深底部を連設し、その深底部に前記接続孔を接続したことを特徴とする打撃工具。
【請求項２】
前記深底部を、前記挿着孔の後端を越えて前記挿着孔の外側にオーバーラップするまで突出させたことを特徴とする請求項１に記載の打撃工具。
【請求項３】
前記挿着孔の後端が、後方へ向けて先細りのテーパ部となるものにあっては、前記深底部における前記オーバーラップ部分の内周側を、前記テーパ部に沿って傾斜するテーパ形状としたことを特徴とする請求項２に記載の打撃工具。
【発明の詳細な説明】
【技術分野】
【０００１】
本発明は、ハウジングの前方へ突出させたアンビルに回転打撃力を発生させるインパクトドライバ等の打撃工具に関する。
【背景技術】
【０００２】
インパクトドライバ等の打撃工具においては、ハウジング内でモータによって回転するスピンドルと、そのスピンドルの前方でハウジングにメタル軸受を介して同軸で軸支され、ビットの挿着孔を有する前端をハウジングの前方へ突出させたアンビルと、スピンドルの回転を回転打撃力としてアンビルに伝達する打撃機構とを備え、スピンドルの回転に伴う打撃機構の動作で、アンビルに回転打撃力を付与可能としている（特許文献１参照）。
また、アンビルの後端軸心には、スピンドルの先端が嵌合する軸受孔が形成され、アンビル内には、軸受孔とメタル軸受の内周面とを接続して両者を連通させる接続孔が半径方向に形成されて、軸受孔に溜まるグリスを接続孔を介してメタル軸受の内周面に供給し、アンビルとメタル軸受との間の潤滑を図るようにしている。
【先行技術文献】
【特許文献】
【０００３】
【特許文献１】特開２００３−２３１０６７号公報
【発明の概要】
【発明が解決しようとする課題】
【０００４】
アンビルに設けられる軸受孔は、穿孔加工上底部がすり鉢状となる場合が多いため、グリスの貯留量が比較的少なくなる。よって、当該底部に接続孔を接続しても、グリスが接続孔からメタル軸受の内周面にまで十分に供給されず、潤滑性が低下し延いては耐久性の低下を招くおそれがあった。そこで、軸受孔を前方へ伸ばすことも考えられるが、軸受孔の前方にはビットの挿着孔が形成されるため、挿着孔の深さを確保して軸受孔を長くするとアンビルの全長が伸び、コンパクト化を阻害してしまう。
【０００５】
そこで、本発明は、アンビルとメタル軸受との間での十分な潤滑を確保しつつ、コンパクト化も維持可能とする打撃工具を提供することを目的としたものである。
【課題を解決するための手段】
【０００６】
上記目的を達成するために、請求項１に記載の発明は、前記スピンドルと、アンビルと、打撃機構とを備え、アンビルの後面に形成した軸受孔にスピンドルの前端を同軸で嵌合させる一方、アンビルの外周に、メタル軸受の内周面に対向するリング状の外溝を形成すると共に、アンビル内に、軸受孔と外溝とを接続して両者を連通させる接続孔を半径方向に形成した打撃工具であって、軸受孔の底となる前端に、嵌合されたスピンドルの前端よりも前方へ突出するリング状の深底部を連設し、その深底部に接続孔を接続したことを特徴とするものである。
請求項２に記載の発明は、請求項１の構成において、深底部を、挿着孔の後端を越えて挿着孔の外側にオーバーラップするまで突出させたことを特徴とするものである。
請求項３に記載の発明は、請求項２の構成において、挿着孔の後端が、後方へ向けて先細りのテーパ部となるものにあっては、深底部における挿着孔とのオーバーラップ部分の内周側を、テーパ部に沿って傾斜するテーパ形状としたことを特徴とするものである。
【発明の効果】
【０００７】
請求項１に記載の発明によれば、深底部にグリスが多く貯留されるため、接続孔を介してアンビルとメタル軸受との間での十分な潤滑が確保され、好適な耐久性を得ることができる。また、ビットの挿着孔と干渉することなく深底部が形成可能となるので、アンビルの全長を長くする必要がなく、コンパクト化が維持できる。さらに、深底部の形成によってアンビルの軽量化にも繋がる。
請求項２に記載の発明によれば、請求項１の効果に加えて、軸受孔や挿着孔、接続孔の夫々の位置関係を変えることなく、深底部の体積をより大きくしてグリスの貯留量を増加させることができる。
請求項３に記載の発明によれば、請求項２の効果に加えて、挿着孔との間で深底部の体積を可及的に大きくすることができ、潤滑性と軽量化との一層の向上が期待できる。
【図面の簡単な説明】
【０００８】
【図１】インパクトドライバの一部縦断面図である。
【図２】インパクトドライバの変更例の一部縦断面図である。
【発明を実施するための形態】
【０００９】
以下、本発明の実施の形態を図面に基づいて説明する。
図１に示すように、打撃工具の一例であるインパクトドライバ１は、左右の半割ハウジング３，３を組み付けて形成され、モータ４を収容する本体ハウジング２と、その本体ハウジング２の前方（図１の右側）に組み付けられ、スピンドル７、打撃機構８、アンビル９を収容する断面釣り鐘形状のハンマーケース６とを備えてなる。本体ハウジング２の下方には、下端に電源となるバッテリーパックを装着した図示しないハンドルが延設されている。また、本体ハウジング２におけるハンマーケース６の下方部分には、当該下方部分を覆う延設部１０が形成され、延設部１０の内部には、アンビル９の前方へ向けたライトユニット１１が装着されている。
【００１０】
モータ４の出力軸５は、本体ハウジング２に組み付けられたギヤケース１２に軸支されて、ハンマーケース６内に突出するピニオン１３を嵌着している。ハンマーケース６内において、スピンドル７は、インターナルギヤ１４内で公転してピニオン１３に噛合する２つの遊星歯車１５，１５を保持して、後端部は、ギヤケース１２に支持されるボールベアリング１６によって、出力軸５と同軸で軸支されている。
また、ハンマーケース６内でアンビル９の後端には、一対のフランジ１７，１７が放射状に延設されて、打撃機構８は、スピンドル７の前端に外装されてアンビル９のフランジ１７，１７に係合するハンマー１８と、そのハンマー１８を前方へ付勢するコイルバネ１９とを備え、ハンマー１８は、その内面とスピンドル７の外面とに形成された溝２０，２０間に跨って嵌合するボール２１，２１を介してスピンドル７と連結される周知の構造となっている。
【００１１】
そして、アンビル９は、ハンマーケース６の前端に保持されたメタル軸受２２によって中間部が軸支され、後面軸心に形成した軸受孔２３に、スピンドル７の前端に突設した小径部２４を嵌合させている。
また、ハンマーケース６から突出するアンビル９の前端には、図示しないビットの挿着孔２５が形成されると共に、挿着孔２５に挿入されたビットを抜け止め装着するボール２６，２６及びスリーブ２７等を備えたチャック機構が設けられている。
【００１２】
一方、アンビル９内において、軸受孔２３の前端には、ここに挿入される小径部２４よりも前方へ突出するリング状の深底部２８が形成されている。この深底部２８は、前端が、ビットの挿着孔２５の底に形成されて後方へ向けて先細りとなるテーパ部２９の後端を越えて、テーパ部２９の外側にオーバーラップするまで突出しており、この深底部２８と挿着孔２５との間に、接続孔３０が形成されている。この接続孔３０は、中心側の端部が深底部２８の前端と連通してアンビル９の半径方向に形成されて、アンビル９の外周面へリング状に凹設された外溝３１内に開口するものである。また、メタル軸受２２の内周面にも、リング状の受け溝３２が凹設されて、アンビル９の外溝３１とアンビル軸方向で重なっている。よって、軸受孔２３の深底部２８は、接続孔３０と外溝３１とを介してメタル軸受２２の受け溝３２と連通することになる。
【００１３】
以上の如く構成されたインパクトドライバ１においては、ハンドルに設けた図示しないスイッチトリガーを操作してモータ４を駆動させると、出力軸５の回転が遊星歯車１５，１５を介してスピンドル７に伝わり、スピンドル７を回転させる。スピンドル７は、ボール２１，２１を介してハンマー１８を回転させ、ハンマー１８が係合するアンビル９を回転させるため、アンビル９の先端に装着したビットによってネジ締め等が可能となる。ネジ締めが進んでアンビル９への負荷が高まると、ハンマー１８がアンビル９のフランジ１７，１７に対して係脱を繰り返して間欠的な回転打撃力を加え、増し締めを行う。
【００１４】
そして、ハンマーケース６内に充填されたグリスは、軸受孔２３から深底部２８に溜まり、アンビル９の回転に伴う遠心力で接続孔３０を通って外溝３１内に排出され、連通するメタル軸受２２の受け溝３２に供給される。よって、アンビル９の外周面とメタル軸受２２の内周面との間の潤滑が維持される。
【００１５】
このように、上記形態のインパクトドライバ１によれば、軸受孔２３の底となる前端に、嵌合されたスピンドル７の小径部２４よりも前方へ突出するリング状の深底部２８を連設し、その深底部２８に接続孔３０を接続したことで、深底部２８にグリスが多く貯留される。よって、接続孔３０を介してアンビル９とメタル軸受２２との間での十分な潤滑が確保され、好適な耐久性を得ることができる。また、ビットの挿着孔２５と干渉することなく深底部２８が形成可能となるので、アンビル９の全長を長くする必要がなく、コンパクト化も維持できる。さらに、深底部２８の形成によってアンビル９の軽量化にも繋がる。
【００１６】
特にここでは、深底部２８を、挿着孔２５の後端を越えて挿着孔２５の外側にオーバーラップするまで突出させているため、軸受孔２３や挿着孔２５、接続孔３０の夫々の位置関係を変えることなく、深底部２８の体積をより大きくしてグリスの貯留量を増加させることができる。
【００１７】
なお、深底部は、上記形態では前端（リング状の底部）がフラットとなっているが、図２に示すインパクトドライバ１ａのように、深底部２８における挿着孔２５へのオーバーラップ部分３３の内周側を、挿着孔２５のテーパ部２９に沿って傾斜するテーパ形状としてもよい。このようにすれば、挿着孔２５との間で深底部２８の体積を可及的に大きくすることができ、潤滑性と軽量化との一層の向上が期待できる。
また、深底部は、軸受孔と同じ内径で連設するものに限らず、軸受孔よりも大きい内径で連設することもできる。
【００１８】
その他、接続孔は、上記形態では一つ設けているが、複数設けることもできる。
また、例えばハウジングは本体ハウジングとハンマーケースとからなるものに限らず、本体ハウジングとハンマーケースとの一体型や、延設部がないタイプ等、ハウジングや打撃機構の形態等は適宜変更可能である。勿論インパクトドライバ以外に、アングルインパクトドライバやインパクトレンチ等の他の打撃工具であっても本発明は採用可能である。
【符号の説明】
【００１９】
１，１ａ・・インパクトドライバ、２・・本体ハウジング、４・・モータ、５・・出力軸、６・・ハンマーケース、７・・スピンドル、８・・打撃機構、９・・アンビル、１８・・ハンマー、２２・・メタル軸受、２３・・軸受孔、２４・・小径部、２５・・挿着孔、２８・・深底部、２９・・テーパ部、３０・・接続孔、３１・・外溝、３２・・受け溝、３３・・オーバーラップ部分。
【図１】
2010201543.tif 000003
【図２】
2010201543.tif 000004